(57)【特許請求の範囲】
【請求項１】
仕切壁を隔てて燃焼室と改質室が配置され、燃焼室からの燃焼熱を前記仕切壁を介して伝熱し改質室内で燃料ガスを燃料電池のアノードに供給される改質ガスにするプレート型改質器であって、
前記改質室はその側壁の内側に内部隔壁を備え、前記燃焼室での燃焼によりガス流れの幅方向に関しほぼ均一な温度で加熱される前記仕切壁の範囲に前記改質室の改質反応領域を設け、前記内部隔壁間が前記改質反応領域を形成し、前記改質室の側壁と前記内部隔壁との間に断熱空間を形成する、ことを特徴とするプレート型改質器。
【発明の詳細な説明】
【０００１】
【産業上の利用分野】
本発明は、仕切壁を隔てて配置された燃焼室からの加熱により改質室で燃料ガスを改質して改質ガスを生成するプレート型改質器に関する。
【０００２】
【従来の技術】
溶融炭酸塩型燃料電池は、高効率で環境への影響が少ないなど、従来の発電装置にない特徴を有しており、水力、火力、原子力に続く発電システムとして注目を集め、現在鋭意研究が進められている。
【０００３】
図４は天然ガスを燃料とする溶融炭酸塩型燃料電池を用いた発電設備の一例を示す図である。同図において、発電設備は、天然ガス８と水蒸気９とを混合した燃料ガス１を水素を含むアノードガス２（改質ガス）に改質する改質器１０と、酸素を含むカソードガス３と水素を含むアノードガス２とから発電する燃料電池２０とを備えており、改質器１０で作られるアノードガス２は燃料電池２０に供給され、燃料電池２０の内でその大部分を消費してアノード排ガス４となり、燃焼用ガスとして改質器１０の燃焼室Ｃｏに供給される。
【０００４】
改質器１０ではアノード排ガス４中の可燃成分（水素、一酸化炭素、メタン等）を燃焼室Ｃｏで燃焼して高温の燃焼ガスを生成し、この燃焼ガスにより改質室Ｒｅを加熱し、改質室Ｒｅで改質触媒により燃料ガス１を改質して水素と一酸化炭素を主体とするアノードガス２とする。アノードガス２は燃料予熱器１１によって燃料ガス１と熱交換し、冷却した後燃料電池２０のアノードＡに供給される。また燃焼室Ｃｏを出た燃焼排ガス５は空気予熱器３２で冷却された後、水分を除去され、空気６と合流してカソードガス３となる。このカソードガス３は燃料電池２０内で一部が反応して高温のカソード排ガス７となり、その一部は改質器１０の燃焼室Ｃｏへ供給され、他の一部は空気６を圧縮するタービン圧縮機４０で動力を回収した後、さらに図示しない排熱回収蒸気発生装置で熱エネルギを回収して系外に排出される。なお、この蒸気発生装置で発生した水蒸気９が天然ガス８と混合されて燃料ガス１となる。
【０００５】
改質器１０として単位容積当たりの伝熱面積が大きく、負荷追従性も優れているプレート型改質器が用いられる。図５はプレート型改質器の構成例を示し、（Ａ）は平面図、（Ｂ）は（Ａ）のＸ−Ｘ断面図である。（Ｂ）に示すように燃焼用ガス供給路４５を挟んで燃焼室Ｃｏと改質室Ｒｅが仕切壁４６を介して重なって配置されている。燃焼用ガス供給路４５と燃焼室Ｃｏとの隔壁４７には多数の開口が設けられ、燃焼室Ｃｏに燃焼用ガスを供給する。（Ｂ）のＹ−Ｙ矢視を図６の（Ａ）に、Ｚ−Ｚ矢視を図６の（Ｂ）に示す。図６（Ａ）の改質室Ｒｅでは燃料ガス１が改質触媒４８と加熱により改質ガスとなり、（Ｂ）の燃焼室Ｃｏでは燃焼用ガス供給路４５から供給される燃焼用ガスが空気と混合して燃焼し、燃焼熱を改質室Ｒｅへ仕切壁４６を介して伝達する。
【０００６】
【発明が解決しようとする課題】
図７は図５の（Ｂ）に示す断面の燃焼室Ｃｏの燃焼反応領域と改質室Ｒｅの改質反応領域の温度分布を示す。側壁近傍は放熱により温度低下が著しく、この低下領域を通過した改質ガスの改質率は著しく悪い。
【０００７】
本発明は上述の問題点に鑑みてなされたもので、改質室の改質反応領域を温度が均一な範囲に限定して改質率の低下を防止するプレート型改質器を提供することを目的とする。
【０００８】
【課題を解決するための手段】
上記目的を達成するため、仕切壁を隔てて燃焼室と改質室が配置され、燃焼室からの燃焼熱を前記仕切壁を介して伝熱し改質室内で燃料ガスを燃料電池のアノードに供給される改質ガスにするプレート型改質器であって、前記改質室はその側壁の内側に内部隔壁を備え、前記燃焼室での燃焼によりガス流れの幅方向に関しほぼ均一な温度で加熱される前記仕切壁の範囲に前記改質室の改質反応領域を設け、前記内部隔壁間が前記改質反応領域を形成し、前記改質室の側壁と前記内部隔壁との間に断熱空間を形成する、ことを特徴とするプレート型改質器が提供される。
【０００９】
【作用】
燃焼室と改質室の側壁近傍は放熱により温度は低下する。このため前記改質室はその側壁の内側に内部隔壁を備え、前記燃焼室での燃焼によりガス流れの幅方向に関しほぼ均一な温度で加熱される前記仕切壁の範囲に前記改質室の改質反応領域を設け、前記内部隔壁間が前記改質反応領域を形成し、前記改質室の側壁と前記内部隔壁との間に断熱空間を形成するので、改質反応は均一な温度で行われ、燃料ガスが水素と一酸化炭素を含む所定の改質ガスに改質される率を示す改質率を所定の値にすることが出来る。
【００１０】
【実施例】
以下、本発明の実施例について図面を参照して説明する。
図１及び図２は本実施例の構成図を示す。なお、図４〜図７の符号と同一符号は同一のものを表す。図１の（Ａ）はプレート型改質器の平面図、（Ｂ）は（Ａ）のＸ−Ｘ断面を示す。先に説明した図５との相違は改質室Ｒｅの側壁５０の内側に内部側壁５１を設けた点である。図２の（Ａ）は図１（Ｂ）のＹ−Ｙ矢視図で改質室Ｒｅを示し、図２の（Ｂ）は図１（Ｂ）のＺ−Ｚ矢視図で燃焼室Ｃｏを示す。改質室Ｒｅでは水蒸気を含む都市ガスからなる燃料ガス１を加熱して改質触媒４８により水素と一酸化炭素を含む改質ガスにする。内部側壁５１の位置は内部温度がほぼ均一となる位置に設定される。内部側壁５１間が改質反応領域５２を構成する。改質反応領域５２は改質室Ｒｅと同じ範囲となる。側壁５０と内部側壁５１との間は断熱空間５３とし、熱の放出を防止している。
【００１１】
燃焼室Ｃｏでは隔壁４７に多数設けられた開口を通して、燃焼用ガスが燃焼用ガス供給路４５から供給され、空気と混合し燃焼用触媒４９により燃焼し、仕切壁４６を介して改質室Ｒｅを加熱する。燃焼用ガスは図４で説明したアノード排ガス４と、カソード排ガス７の一部である。なお改質室Ｒｅ内のガスの流れと燃焼室Ｃｏ内のガスの流れは対向した流れとなっている。これにより各ガスの流れ方向の温度分布が均一化される。
【００１２】
図３は図１（Ｂ）に示す燃焼室Ｃｏと改質室Ｒｅの断面における温度分布を示し、図７の分布に対し内部側壁５１を設け断熱空間５３を構成したことにより、温度が均一な範囲が広くなっており、この温度均一な範囲に改質反応領域５２を限定した状況を示す。これにより改質室Ｒｅでは改質反応が均質に行われ、改質率は低下せず所定の値となる。
【００１３】
【発明の効果】
以上の説明から明らかなように、本発明は、燃焼室によって加熱される仕切壁の均一な温度領域を改質室の改質反応領域として改質ガスを生成することにより改質率の低下を防止する。
【図面の簡単な説明】
【図１】実施例のプレート型改質器の構成を示し、（Ａ）は平面図、（Ｂ）は（Ａ）のＸ−Ｘ断面図である。
【図２】改質器の構成を示し、（Ａ）は図１（Ｂ）のＹ−Ｙ矢視図、（Ｂ）は図１（Ｂ）のＺ−Ｚ矢視図である。
【図３】改質室と燃焼室の温度分布と改質反応領域を示す図である。
【図４】従来の天然ガスを燃料とする燃料電池発電装置の全体構成図である。
【図５】従来例のプレート型改質器の構成を示し、（Ａ）は平面図、（Ｂ）は（Ａ）のＸ−Ｘ断面図である。
【図６】従来例の改質器の構成を示し、（Ａ）は図５（Ｂ）のＹ−Ｙ矢視図、（Ｂ）は図５（Ｂ）のＺ−Ｚ矢視図である。
【図７】改質室と燃焼室の温度分布を示す図である。
【符号の説明】
１  燃料ガス
２  アノードガス（改質ガス）
３  カソードガス
４  アノード排ガス
５  燃焼排ガス
６  空気
７  カソード排ガス
８  天然ガス
９  水蒸気
１０  改質器
１１  燃料予熱器
１２  排出ライン
１３  排ガス供給ライン
１４  循環ライン
２０  燃料電池
２２  格納容器
２３  高温ブロワ
２４  燃料ブロワ
２５  脱硫器
３２  空気予熱器
３３  凝縮器
３４  気水分離器
３５  低温ブロワ
４０  タービン圧縮機
４１  バックアップライン
４２  電動ブロワ
４５  燃焼用ガス供給路
４６  仕切壁
４７  隔壁
４８  改質触媒
４９  燃焼触媒
５０  側壁
５１  内部側壁
５２  改質反応領域
５３  断熱空間
Ａ  アノード
Ｃ  カソード
Ｃｏ  燃焼室
Ｒｅ  改質室
【図１】
0003582132.tif 000002
【図２】
0003582132.tif 000003
【図３】
0003582132.tif 000004
【図４】
0003582132.tif 000005
【図５】
0003582132.tif 000006
【図６】
0003582132.tif 000007
【図７】
0003582132.tif 000008